(57)【要約】  種々異なる型とモデルのプロジェクタを取り付け得る万能プロジェクタ取付装置であって、プロジェクタを支持する固定構造物上の標準プロジェクタ取付台に取り付けたインターフェイス板に結合された複数の調節可能なアームを含む。このアームは、異なる型とモジュールのプロジェクタに配置される種々のファスナに適応するため半径方向及び長手方向の任意の位置に実質的に調節可能である。
2008503761.tif 000002
【特許請求の範囲】
【請求項１】
構造物に取り付け可能なベース板と、
上記ベース板に接続可能な中央部材と、複数のアームとを有するマウントインターフェイスとより成り、
上記アームの夫々は、上記中央部材に枢支部を介して共通の面内で回動可能に取り付けられており、上記アームの夫々はその外端で取付部材を支持し、上記取付部材はプロジェクタ上の取付具に接続可能であり、また、上記面に直角な方向に調節可能であり、上記アームの少なくとも１つが、上記外端から上記枢支部迄の長さを調節できる
ことを特徴とするプロジェクタを構造物に取り付けるための万能プロジェクタ取付装置。
【請求項２】
上記ベース板と上記マウントインターフェイス間に介挿された固定可能な万能ジョイントを有することを特徴とする請求項１記載の万能プロジェクタ取付装置。
【請求項３】
上記アームの少なくとも１つが、第１，第２区域を有し、上記第１区域が上記第２区域に相対的に入れ子式に摺動自在であることを特徴とする請求項１記載の万能プロジェクタ取付装置。
【請求項４】
上記枢支部が、上記中央部材の周囲に沿って移動可能であり、且つ固定可能であることを特徴とする請求項１記載の万能プロジェクタ取付装置。
【請求項５】
上記マウントインターフェイスが上記万能ジョイントに着脱自在であることを特徴とする請求項２記載の万能プロジェクタ取付装置。
【請求項６】
ベース板を構造物に固定する工程と、
中央部材と、複数のアームとを有し上記アームの夫々は、上記中央部材に枢支部を介して取り付けられており、上記アームの夫々はその外端で取付部材を支持し、上記取付部材は、プロジェクタ上の取付具に接続可能であるマウントインターフェイスをプロジェクタに固定する工程と、
上記取付部材の夫々が、対応する上記取付具に一線をなす迄共通面内で上記取付部材を回動し摺動せしめる工程と、
上記取付部材の夫々を、対応する上記取付具に並置されるようになる迄上記共通面に直角な方向になるよう調節する工程と、
上記取付部材の夫々を、対応する上記取付具に取り付ける工程と、及び
上記マウントインターフェイスを上記ベース板に固定する工程と
より成ることを特徴とするプロジェクタを構造物に取り付ける方法。
【請求項７】
上記ベース板と上記マウントインターフェイス間に万能ジョイントを取り付ける工程と、
上記万能ジョイントを上記プロジェクタに一線となるよう調節する工程と、及び
上記万能ジョイントを一線をなす位置に固定する工程と
より成ることを特徴とする請求項６記載のプロジェクタを構造物に取り付ける方法。
【請求項８】
上記アームの少なくとも１つが、第１，第２区域を有し、上記第１区域が上記第２区域に相対的に入れ子式に摺動自在であり、上記第１区域を上記第２区域に相対的に摺動調節する工程と、
上記第２区域に相対的に上記第１区域を固定する工程と
を更に有することを特徴とする請求項６記載のプロジェクタを構造物に取り付ける方法。
【請求項９】
上記枢支部を、上記中央部材の周囲に沿って摺動調節する工程と、
上記枢支部を上記中央部材の周囲に沿った所望の位置に固定する工程と
を更に有することを特徴とする請求項６記載のプロジェクタを構造物に取り付ける方法。
【請求項１０】
構造物に万能プロジェクタ取付装置を固定する手段と、
プロジェクタに取り付けるインターフェイス手段とより成り、
上記手段が、
中央部材と、上記中央部材に対し回動自在に取り付ける手段とより成り、この手段はその外端が上記中央部材からの長さ可変になるよう共通の面内で回動可能に上記中央部材に取り付けられており、上記面に直角な方向に調節可能であり、上記プロジェクタ上の取付具に接続可能であることを特徴とする万能プロジェクタ取付装置。
【請求項１１】
上記プロジェクタに取り付ける手段と上記万能プロジェクタ取付装置を固定する手段との間を接続するための手段を更に有することを特徴とする請求項１０記載の万能プロジェクタ取付装置。
【請求項１２】
上記接続手段を固定する手段を更に有することを特徴とする請求項１１記載の万能ジョイント取付装置。
【請求項１３】
上記接続手段に上記インターフェイス手段を着脱自在に取り付ける手段を更に有することを特徴とする請求項１１記載の万能ジョイント取付装置。
【請求項１４】
上記回動自在に取り付ける手段が第１，第２区域を有し、上記第１区域が上記第２区域に相対的に入れ子式に摺動自在であることを特徴とする請求項１０記載の万能プロジェクタ取付装置。
【請求項１５】
上記回動自在に取り付ける手段が、上記中央部材の周囲に沿って移動可能な手段を含むことを特徴とする請求項１０記載の万能プロジェクタ取付装置。
【請求項１６】
夫々がプロジェクタ取り付け用の孔のセットを有する複数の既知のプロジェクタの任意のものを固定構造物にファスナによって取り付けるための万能プロジェクタ取付ブラケットであって、上記取り付けブラケットが、中央部材と、複数のアームとを有し上記アームの夫々は、両端と、上記両端のうちの一端におけるプロジェクタ取付部とを有し、上記中央部材に回動自在且つ軸方向に移動自在に取り付けられており、上記取付部は、プロジェクタの孔のセットの１つに対応する位置に選択的に位置決め可能であることを特徴とする万能プロジェクタ取付ブラケット。
【請求項１７】
上記各アームの取付部がアームに相対的に選択的に調節位置決め可能な請求項１６記載の万能プロジェクタ取付ブラケット。
【発明の詳細な説明】
【技術分野】
【０００１】
本発明は、プロジェクタのための取付装置、特に、プロジェクタのための万能取付装置に関するものである。
【０００２】
本発明は２００４年１月２３日に出願された米国特許出願第６０／５３８，６３４号「万能プロジェクタ取付装置」及び２００４年１２月２１日出願された米国特許出願第６０／６３７，７１０号「万能プロジェクタ取付装置」を基礎とするものである。
【背景技術】
【０００３】
光学プロジェクションシステムは、多くの人に興行、可視情報を示し、提供するために一般に用いられている。このような光学プロジェクションシステムは、一般にプロジェクタユニットと投影スクリーンを有している。
【０００４】
教室、会議室及び集会室等には幾分永久的な施設となる共通のプロジェクタユニットが設けられている。このプロジェクタが邪魔な突出物とならないよう、及び不用意な衝突によりダメージを受けないよう頭上の施設、例えば天井や屋根から吊下されることが多い。然しながらプロジェクタの視準と焦点合せのためには広い範囲で調節できる取付装置が必要とされている。
【発明の開示】
【発明が解決しようとする課題】
【０００５】
プロジェクタ、特に、上記の設定をなし得るＬＣＤ、ＣＲＴ、ＤＲＰプロジェクタは高価である。更に、プロジェクタが設置されているスペースは或る期間放置されるか無人となることがある。従ってプロジェクタユニットが、盗難、破壊その他の目標となるという問題がある。
【０００６】
現在市販されている取付可能なプロジェクタには多くの構成とモデルのものがある。現在、取り付けアタッチメントとして標準のものは無く、製造会社の相違によって取り付けアタッチメントは大きく異なっている。今日市販の取付装置の共通の問題点は、取付装置が各メーカーのプロジェクタ間で共用できないこと、従って、取付装置としては夫々大きく異なるものを別個に必要とすることにある。工業界では異なるメーカーの異なるモデルのプロジェクタ取り付けのために用い得る単一の万能プロジェクタ取付装置を求めている。
【課題を解決するための手段】
【０００７】
本発明の万能プロジェクタ取付装置は、種々異なる構成及びモデルのプロジェクタを取り付けできる単一のものである。本発明の万能プロジェクタ取付装置は、プロジェクタを吊下する固定構造物上の標準プロジェクタ取付装置と、この装置に取り付けたインターフェース板に結合された複数の調節可能なアームを含む。このアームは、異なる構成とモデルのプロジェクタ上の種々のファスナに適応するため半径方向及び長手方向の任意の位置に実質的に調節可能である。
【発明を実施するための最良の形態】
【０００８】
以下図面によって本発明の実施例を説明する。
【実施例１】
【０００９】
図１に示すように本発明の万能プロジェクタ取付装置１０は、マウントインターフェイス１２とアーム１４とを有する。マウントインターフェイス１２はオーバーヘッドプロジェクタ取付装置２０を着脱自在に受容するためのスタッド１８を有する中央部材１６を含む。オーバーヘッドプロジェクタ取付装置２０は、米国特許出願第１０／８２１，６５９号明細書に詳細に説明されている。
【００１０】
中央部材１６は、周縁２４からくぼんだくぼみ部２２を有する。細長い溝２６が周縁２４の直ぐ内側においてくぼみ部２２に形成されている。細長い溝２６はコーナーにおいて湾曲スロット２７を有し、側部に沿って直線スロット２７ａを有する。軽量にするため必要に応じて中心穴２８を設ける。
【００１１】
各アーム１４は細長いビーム部分３０と脚３２とを有する。細長いビーム部分３０はウエブ３４と、両側壁３６と、端壁３７とを含む、一般にＵ字状断面を有する。ウエブ３４は長手方向に延びる少なくとも１つの溝３８を有する。端壁３７はファスナ４２を螺合せしめる孔４０を有する。脚３２は、インターフェイスフランジ部分４４とプロジェクタ取付耳４６とを有し、Ｌ字状をなす。脚３２をビーム部分３０に固定するためのファスナ４２を貫通せしめる溝４８をインターフェイスフランジ部分４４が有する。脚３２をプロジェクタ５２に取り付けるためファスナ５０を挿通する孔４９をプロジェクタ取付耳４６が有する。中央部材１６内の細長い溝２６及び溝３８を通してナット５６に螺合されるファスナ５４によって各アーム１４が中央部材１６に取り付けられる。
【００１２】
万能プロジェクタ取付装置１０をプロジェクタ５２に取り付ける場合には各ファスナ５４を緩め、細長い溝２６内で摺動せしめる。更に、アーム１４が溝３８によって半径方向に摺動し、中央部材１６に相対的に回動できるようになる。プロジェクタ５２上の取付具にプロジェクタ取付耳４６の孔４９が対応するように各アーム１４を位置決めする。アーム１４が正しく位置決めされたとき、ファスナ５４を締めることによってアーム１４を所望の位置に固定し、孔４９を通してファスナ５０を締めることによって脚３２をプロジェクタ５２に固定する。必要に応じて各ファスナ４２を緩め、プロジェクタ５２からの中央部材１６の間隔を調節する。所望の位置決めの後ファスナ４２を締め脚３２を固定する。
【００１３】
万能プロジェクタ取付装置１０をプロジェクタ５２に取り付けた後、オーバーヘッドプロジェクタ２０を中央部材１６に取り付ける。本発明の実施例においては取付装置１０はスタッド１８に対応するノッチ５８を有する。各スタッド１８はノッチ５８に入れ、オーバーヘッドプロジェクタ取付装置２０にギザ付きナット６０を固定する。取付装置１０に取り付けたプロジェクタ５２を、ナット６０を緩め、中央部材１６をオーバーヘッドプロジェクタ取付装置２０から分離することによってオーバーヘッドプロジェクタ取付装置２０から容易に迅速に分離し、貯蔵のためまたは他の場所に移動できるようになる。従って、オーバーヘッドプロジェクタ取付装置２０を固定構造物に取り付けたまま、万能プロジェクタ取付装置１０をプロジェクタに取り付けたままとすることができる。
【００１４】
アーム１４の長さによって定められる半径内の任意の位置にファスナ５４のための孔４９を位置せしめるよう各アーム１４を調節する。また、任意の細長い溝２６を通るファスナ５４を用いて中央部材１６に各アーム１４を取り付けることができる。従って、所定のプロジェクタ５２上のファスナ受容位置に略対応するよう取付装置１０を調節できる。この実施例では４個のアーム１４を用いたが４〜８個またはそれ以上のファスナを用い得ることは勿論である。
【００１５】
万能プロジェクタ取付装置１０の他の実施例を、図６〜図１２に示す。この取付装置１０はベース板６６と、万能ジョイント部６８と、マウントインターフェース７０とを有する。ベース板６６を支持構造物の面に固定するためファスナを受容する複数の孔７２をベース板６６の外周に有する。ベース板６６は万能ジョイント部６８に取り付ける。図６と図７に示すようにベース板６６を大きな螺合マウント７４によって万能ジョイント部６８に接続する。このベース板６６は、オーバーヘッドプロジェクタ取付装置２０を構造物に固定するために用いるオーバーヘッドプロジェクタ取付装置２０を取り巻く部分に適合するように定める。ベース板６６は、万能プロジェクタ取付装置を運物構造物から或る距離だけ離れるように支持するための支柱や管を有する。
【００１６】
図９と図１０に示すように、万能ジョイント部６８は、ベース板ヨーク７６と、交叉部７８と、マウントインターフェイスヨーク８０とを有する。ベース板ヨーク７６は、枢支部８２で第１軸の周りに回動自在となるよう交叉部材７８に取り付ける。このベース板ヨーク７６は湾曲溝８４を区劃し、この湾曲溝８４を通してファスナ８６が挿入されて締められ、ベース板ヨーク７６が交叉部材７８に回動自在に取り付けられ、ベース板７６が交叉部材７８に相対的に位置ずれされないように固定される。
【００１７】
マウントインターフェイスヨーク８０は枢支部８８で交叉部材７８に回動自在に枢支される。マウントインターフェイスヨーク８０は上記第１軸に直交する第２軸の周りで回動自在に取り付けられ、固定ファスナ９０によって特定の向きとなるように固定される。
【００１８】
図１１と図１２に示すようにマウントインターフェイスヨーク８０は更に取付板９２を有する。アタッチメント板９２は、ノッチ９４を区劃し、ギザ付きナット９６を有するインターフェイスを取付板９２に取り付け、マウントインターフェイスヨーク８０をマウントインターフェイス７０に取り付ける。ベース板６６はオーバーヘッドプロジェクタ取付装置２０に適用できるように定める。
【００１９】
マウントインターフェイス７０は中央部材９８と、アーム１００と、取付耳１０２とを有する。
【００２０】
中央部材９８はスタッド１０４を支持し、その外周近くに弧状溝１０６を有する。スタッド１０４は取付板９２のノッチ９４に一致するよう位置決めされる。この結果、スタッド１０４にギザ付きナット９６を螺合し取付板９２を中央部材９８に取り付ける。
【００２１】
弧状溝１０６は４個とするがこれに限定されない。
【００２２】
アーム１００をアームファスナ１０８によって中央部材９８に固定する。アームファスナ１０８は、例えばねじまたはボルトとする。アームファスナ１０８は弧状溝１０６の長さ方向に沿った任意の部分に固定する。
【００２３】
アーム１００は第１区域１１０と、第２区域１１２とを有する。第１，第２区域は互いに入れ子式に摺動可能とし、従ってアームの長さを調節自在とする。例えば、第２区域１１２には第１区域１１０に固定されるファスナ１１６に摺動自在に係合するアーム溝１１４を設ける。
【００２４】
ファスナ１１６を締めて第１区域１１０を第２区域１１２に固定し、アーム１００の長さを所望の値とする。
【００２５】
取付耳１０２は調節スタッド１２０を介してアーム１００の遊端１１８により支持される。調節スタッド１２０はアーム１００の遊端１１８においてねじ孔１２２に螺合される。ロックナット１２４は調節スタッド１２０を所望の向きで取付耳１０２に固定するために用いる。孔１２６を取付耳１０２に設ける。孔１２６は取付耳１０２をプロジェクタ（図示せず）に固定するためのファスナを受容する。
【００２６】
操作においては、万能プロジェクタ取付装置１０を固定するため所望の位置の固定構造物にベース板６６を取り付ける。ベース板６６を固定した後、万能ジョイント部６８をベース板６６に固定する。マウントインターフェイス７０を、取り付けるべきプロジェクタまたは他の装置に固定し、次いでマウントインターフェイス７０を万能ジョイント部６８に固定する。万能ジョイント部６８は次いでプロジェクタに一致せしめるよう調節する。
【００２７】
マウントインターフェイス７０は取付板９２を介して万能ジョイント部６８に固定する。取付板９２はそのノッチ９４がスタッド１０４に係合するよう位置決めし、ギザ付きナット９６を次いで締め、マウントインターフェイス７０を万能ジョイント部６８に固定する。
【００２８】
ベース板ヨーク７６を交叉部材７８に相対的に調節し、マウントインターフェイスヨーク８０を交叉部材７８に相対的に調節して、万能ジョイント部６８を複数の位置に移動せしめる。所望の位置決めがなされた後、ファスナ８６と固定ファスナ９０を締め、万能ジョイント部５８を所望の向きに固定する。
【００２９】
プロジェクタをマウントインターフェイス７０に取り付けたとき、アーム１００を弧状溝１０６内の所望の位置に位置決めする。更に、アーム１００を弧状溝１０６に相対的に回動し所望の角度とする。第１，第２区域１１０，１１２を互いに入れ子式に調節し、アーム１００を所望の長さとする。アーム１００の遊端１１８に相対的に、及びアーム１００の端部と取付耳１０２間のオフセット角内で、調節スタッド１２０をねじ孔１２２に挿脱するようにして取付耳１０２を角度的に調節する。所望の調節がなされたとき、ロックナット１２４を調節スタッド１２０に対して締め、取付耳１０２をアーム１００の端部に固定する。
【００３０】
上記複数の調節を行なうことによって取付耳１０２の孔１２６を所望のプロジェクタの取り付け位置に合致できる。更に、ギザ付きナット９６を緩め、取付板９２を中央部材９８から離すことによって万能ジョイント部６８からマウントインターフェイス７０を迅速かつ容易に分離することができる。このようにして取付装置を分離したとき、プロジェクタをマウントインターフェイス７０から分離することなしにまたは万能ジョイント部６８を固定構造物から分離することなしにプロジェクタを保管し、または他の場所に移送できるようになる。
【００３１】
本発明ではプロジェクタを万能プロジェクタ取付装置１０から引き離すことを阻止できるように、及びまたはプロジェクタの向きを変えることを阻止できるように変形できることは明らかである。
【００３２】
本発明の実施例は明細書記載の事項に公知例を加味して種々変更できることは勿論である。
【図面の簡単な説明】
【００３３】
【図１】本発明の万能プロジェクタ取付装置の斜視図である。
【図２】図１に示す装置の分解斜視図である。
【図３】オーバーヘッドプロジェクタ取付装置と共に示す、図１の装置の斜視図である。
【図４】伸長したアームと共に示す図１の装置の斜視図である。
【図５】図１に示す装置の他の実施例の斜視図である。
【図６】本発明の他の実施例の万能プロジェクタ取付装置の斜視図である。
【図７】図６に示す装置の背面図である。
【図８】図６に示す装置の平面図である。
【図９】図６に示す装置の平面図である。
【図１０】図６に示す装置の側面図である。
【図１１】一部を除去して示した図６の装置の斜視図である。
【図１２】図６の装置の背面図である。
【図１】
2008503761.tif 000003
【図２】
2008503761.tif 000004
【図３】
2008503761.tif 000005
【図４】
2008503761.tif 000006
【図５】
2008503761.tif 000007
【図６】
2008503761.tif 000008
【図７】
2008503761.tif 000009
【図８】
2008503761.tif 000010
【図９】
2008503761.tif 000011
【図１０】
2008503761.tif 000012
【図１１】
2008503761.tif 000013
【図１２】
2008503761.tif 000014